(57)【要約】【課題】  津波の発生を通知する際の視認性を向上させることができる「ナビゲーション装置」を提供すること。【解決手段】  ナビゲーション装置１００には、津波の発生を知らせる津波情報を受信する通信処理部２８と、地図画像の描画範囲内に津波情報に対応する津波の発生対象となる水面領域が存在すると判定されたときに、津波の発生を視覚的に認識可能な津波画像を水面領域に対応させて地図画像の描画を行う地図描画部１４と、地図描画部１４によって描画された地図画像を表示する表示処理部５０とが備わっている。【選択図】        図２
2006058192.tif 000002
【特許請求の範囲】
【請求項１】
津波の発生を知らせる津波情報を受信する津波情報受信手段と、
地図画像の描画範囲内に前記津波情報に対応する津波の発生対象となる水面領域が存在するか否かを判定する津波領域判定手段と、
前記津波領域判定手段によって前記水面領域が存在すると判定されたときに、津波の発生を視覚的に認識可能な津波画像を前記水面領域に対応させて地図画像の描画を行う地図描画手段と、
前記地図描画手段によって描画された地図画像を表示する表示手段と、
を備えることを特徴とするナビゲーション装置。
【請求項２】
請求項１において、
前記津波情報には、緯度および経度で区切られた所定面積の警報対象領域が含まれており、
前記地図描画手段は、前記水面領域の少なくとも一部に前記警報対象領域が対応しているときに、前記描画範囲に含まれる前記水面領域の全体を前記津波画像を用いて地図画像の描画を行うことを特徴とするナビゲーション装置。
【請求項３】
請求項１または２において、
前記津波情報には、津波の大きさを示す発生レベル情報が含まれており、
前記地図描画手段は、前記発生レベル情報に基づいて津波の大きさに応じて表示内容が異なる前記津波画像を用いて地図画像の描画を行うことを特徴とするナビゲーション装置。
【請求項４】
請求項１または２において、
前記地図描画手段は、前記水面領域およびそれ以外の領域のそれぞれに対応するポリゴンにテクスチャ画像を貼り付けることにより前記地図画像の描画を行っており、前記水面領域を構成するポリゴンに対応するテクスチャ画像を、津波の発生の有無に応じて切り替えることを特徴とするナビゲーション装置。
【請求項５】
請求項３において、
前記地図描画手段は、前記水面領域およびそれ以外の領域のそれぞれに対応するポリゴンにテクスチャ画像を貼り付けることにより前記地図画像の描画を行っており、前記水面領域を構成するポリゴンに対応するテクスチャ画像を、前記津波の大きさに応じて切り替えることを特徴とするナビゲーション装置。
【請求項６】
請求項５において、
前記津波の大きさに応じて切り替えられる前記テクスチャ画像は、水面の波の形状を視覚的に表すとともにこの波の高さを前記津波の大きさに応じて変化させた画像であることを特徴とするナビゲーション装置。
【発明の詳細な説明】
【技術分野】
【０００１】
本発明は、津波に関する気象情報を受信して通知を行うナビゲーション装置に関する。
【背景技術】
【０００２】
従来から、津波警報等を含む緊急警報放送を受信してその内容や避難場所等を表示するナビゲーション装置が知られている（例えば、特許文献１参照。）。このナビゲーション装置では、津波警報を内容とする緊急警報放送を受信したときに、対応する危険区域、避難場所、避難経路等がディスプレイ装置に表示される。
【特許文献１】特開平７−２２０１９６号公報（第４−７頁、図１−１１）
【発明の開示】
【発明が解決しようとする課題】
【０００３】
ところで、特許文献１に開示されたナビゲーション装置では、津波警報を受信したときに表示される危険区域等の情報が、表示中の地図画像に反映されるわけではないため、視認性が悪いという問題があった。例えば、津波警報には地域区分符号が含まれており、警報の対象となる地域を特定することができるため、車両の走行位置がその地域内であるか否かがわかるが、その場合に車両が津波警報に対応した危険区域内を走行中である旨を文字情報で表示した場合を考えると、利用者はその文字を読んでその内容を理解する必要があるため、視覚的に内容把握が容易ではない。特に、運転中はナビゲーション装置の表示内容を注視することができないため、視覚的に津波が発生したことを容易に把握可能な方法が望まれている。
【０００４】
本発明は、このような点に鑑みて創作されたものであり、その目的は、津波の発生を通知する際の視認性を向上させることができるナビゲーション装置を提供することにある。
【課題を解決するための手段】
【０００５】
上述した課題を解決するために、本発明のナビゲーション装置は、津波の発生を知らせる津波情報を受信する津波情報受信手段と、地図画像の描画範囲内に津波情報に対応する津波の発生対象となる水面領域が存在するか否かを判定する津波領域判定手段と、津波領域判定手段によって水面領域が存在すると判定されたときに、津波の発生を視覚的に認識可能な津波画像を水面領域に対応させて地図画像の描画を行う地図描画手段と、地図描画手段によって描画された地図画像を表示する表示手段とを備えている。これにより、津波情報によって津波の発生が通知された水面領域が描画範囲に含まれる場合に、この水面領域に対応させて津波の発生を視覚的に認識可能な津波画像が表示されるため、地図画像を見ている利用者に対して津波の発生を通知する際の視認性の向上が可能になる。
【０００６】
また、上述した津波情報には、緯度および経度で区切られた所定面積の警報対象領域が含まれており、地図描画手段は、水面領域の少なくとも一部に警報対象領域が対応しているときに、描画範囲に含まれる水面領域の全体を津波画像を用いて地図画像の描画を行うことが望ましい。表示対象となっている水面領域の一部であっても津波情報がでているときにこの水面領域全体に津波画像を表示することにより、利用者に対して確実に注意を喚起することが可能になる。
【０００７】
また、上述した津波情報には、津波の大きさを示す発生レベル情報が含まれており、地図描画手段は、発生レベル情報に基づいて津波の大きさに応じて表示内容が異なる津波画像を用いて地図画像の描画を行うことが望ましい。これにより、津波による危険の程度を視覚的に表すことができるため、利用者に対して津波の大きさに応じた注意を喚起することが可能になる。
【０００８】
また、上述した地図描画手段は、水面領域およびそれ以外の領域のそれぞれに対応するポリゴンにテクスチャ画像を貼り付けることにより地図画像の描画を行っており、水面領域を構成するポリゴンに対応するテクスチャ画像を、津波の発生の有無に応じて切り替えることが望ましい。これにより、津波発生の有無に対応した２種類のテクスチャ画像を用意しておいて、これらを適宜切り替えるだけで津波の発生の有無を表示することが可能になり、比較的簡単な処理で津波発生時の通知の視認性向上を図ることができる。
【０００９】
また、上述した地図描画手段は、水面領域およびそれ以外の領域のそれぞれに対応するポリゴンにテクスチャ画像を貼り付けることにより地図画像の描画を行っており、水面領域を構成するポリゴンに対応するテクスチャ画像を、津波の大きさに応じて切り替えることが望ましい。これにより、津波発生の有無およびその程度に対応した複数種類のテクスチャ画像を用意しておいて、これらを適宜切り替えるだけで津波の発生の有無や程度を表示することが可能になり、比較的簡単な処理で津波発生時の通知の視認性向上を図ることができる。
【００１０】
また、上述した津波の大きさに応じて切り替えられるテクスチャ画像は、水面の波の形状を視覚的に表すとともにこの波の高さを津波の大きさに応じて変化させた画像であることが望ましい。これにより、津波の大きさを地図画像を見ただけで知ることができるため、文字情報を用いて津波に関する通知を行う場合に比べて、視認性を飛躍的に向上させることができる。
【発明を実施するための最良の形態】
【００１１】
以下、本発明を適用した一実施形態のナビゲーション装置について、図面を参照しながら説明する。
【００１２】
図１は、一実施形態のナビゲーション装置を含む全体システムの構成を示す図である。図１に示すシステムは、各車両に搭載されたナビゲーション装置１００と、ナビゲーション装置１００に対して気象情報を配信する気象情報配信サーバ２００とを含んで構成されている。ナビゲーション装置１００と気象情報配信サーバ２００との間は、所定のネットワーク３００を介して接続されている。なお、本実施形態におけるネットワーク３００は、移動体電話網を含んで構成されており、移動中の車両に搭載されたナビゲーション装置１００と気象情報配信サーバ２００との間を相互に接続している。また、ナビゲーション装置１００とネットワーク３００の間は、車両に備わった移動体電話（図示せず）を用いて接続されている。
【００１３】
次に、ナビゲーション装置１００の詳細構成について説明する。図２は、ナビゲーション装置１００の詳細構成を示す図である。図２に示すナビゲーション装置１００は、ナビゲーションコントローラ１、ＤＶＤ２、ディスク読取装置３、リモートコントロール（リモコン）ユニット４、車両位置検出部５、ディスプレイ装置６、オーディオ部７を含んで構成されている。
【００１４】
ナビゲーションコントローラ１は、ナビゲーション装置の全体を制御する。このナビゲーションコントローラ１は、ＣＰＵ、ＲＯＭ、ＲＡＭ等を用いて所定の動作プログラムを実行することによりその機能が実現される。
【００１５】
ＤＶＤ２は、地図表示や経路探索など各種のナビゲーション動作を行うために必要な地図データが格納されている情報記録媒体である。地図データには、地図表示に必要な地図画像データと経路探索に必要な道路データとが含まれている。このＤＶＤ２には、経度および緯度で適当な大きさに区切られた矩形形状の図葉を単位とした地図データが格納されている。各図葉の地図データは、図葉番号を指定することにより特定され、読み出すことが可能となる。
【００１６】
ディスク読取装置３は、１枚あるいは複数枚のＤＶＤ２が装填可能であり、ナビゲーションコントローラ１の制御によっていずれかのＤＶＤ２から地図データの読み出しを行う。なお、装填されるディスクは必ずしもＤＶＤでなくてもよく、ＣＤでもよい。また、ＤＶＤとＣＤの双方を選択的に装填可能としてもよい。なお、本実施形態ではＤＶＤ２（あるいはＣＤ）に記録された地図データを読み出して使用しているが、ハードディスクに記録された地図データを用いたり、必要に応じて外部（例えば地図配信サーバ）から配信される地図データを受信して用いるようにしてもよい。
【００１７】
リモコンユニット４は、上下左右等の方向を指定するジョイスティックと、数字を入力するテンキーや各種の設定などを確定する「決定キー」などの各種の操作キーとを備えており、操作内容に応じた信号をナビゲーションコントローラ１に出力する。車両位置検出部５は、例えば、ＧＰＳ受信機、方位センサ、距離センサなどを備えており、所定のタイミングで車両位置（経度、緯度）の検出を行い、検出データを出力する。
【００１８】
ディスプレイ装置６は、ナビゲーションコントローラ１から出力される描画データに基づいて、自車位置周辺の地図画像や周辺施設の検索結果などの各種画像を表示する。オーディオ部７は、ナビゲーションコントローラ１から入力される音声信号に基づいて生成した案内音声等を車室内に出力する。
【００１９】
また、図２に示すように、上述したナビゲーションコントローラ１は、地図バッファ１０、地図読出制御部１２、地図描画部１４、車両位置計算部３０、通信処理部２８、経路探索処理部３２、経路誘導処理部３４、入力処理部４０、表示処理部５０を含んで構成されている。
【００２０】
地図バッファ１０は、ディスク読取装置３によってＤＶＤ２から読み出された地図データを一時的に格納する。地図読出制御部１２は、車両位置計算部３０により算出される車両位置や入力処理部４０からの指示に応じて、所定範囲の地図データの読み出し要求をディスク読取装置３に出力する。地図描画部１４は、地図バッファ１０に格納された地図データに基づいて、地図画像を表示するために必要な描画処理を行って地図画像描画データを作成する。地図描画部１４の詳細については後述する。
【００２１】
車両位置計算部３０は、車両位置検出部５から出力される検出データに基づいて自車位置を計算するとともに、計算した自車位置が地図の道路上にない場合には地図の道路形状と走行軌跡とに基づいて自車位置を修正するマップマッチング処理を行う。通信処理部２８は、気象情報配信サーバ２００から配信される津波情報を含む各種の気象情報の受信動作に必要な処理を行う。この通信処理部２８には、移動体電話（図示せず）が外付けされている。
【００２２】
経路探索処理部３２は、出発地と目的地との間を所定の探索条件にしたがって結ぶ走行経路を誘導経路として探索する。経路誘導処理部３４は、経路探索処理部３２による探索処理によって得られた誘導経路を地図上に重ねて表示するための誘導経路描画データを生成するとともに、この誘導経路に沿って車両を誘導するために必要な交差点案内等の音声信号を生成する。
【００２３】
入力処理部４０は、リモコンユニット４から入力される各種の操作指示に対応する動作を行うための命令をナビゲーションコントローラ１内の各部に向けて出力する。表示処理部５０は、地図描画部１４によって生成される地図画像描画データに基づいて所定範囲の地図画像をディスプレイ装置６の画面に表示する。また、経路誘導処理部３４によって生成される誘導経路描画データが入力されると、表示処理部５０は、この描画データを地図画像に重ねてディスプレイ装置６の画面に表示する。
【００２４】
次に、地図描画部１４の詳細について説明する。図２に示すように、地図描画部１４は、ポリゴン演算部１６、テクスチャ処理部１８、フレームメモリ２０、津波情報抽出部２２、津波領域判定部２４、文字情報描画部２６、アイコン描画部２７を備えている。本実施形態では、表示対象となる地図画像は、背景画像とその上に表示される文字情報およびアイコンによって構成されているものとする。背景画像には、海等の水面領域と、道路や建物、森林等の陸上領域とが含まれている。これらの領域の各構成要素はポリゴンによって表現され、各ポリゴンに対してテクスチャ画像を貼り付けるテクスチャマッピングの処理を行うことによって背景画像が生成される。また、この背景画像上に、地名等の文字情報と表示が指示された特定施設を示すアイコン画像が重ねて合成されて地図画像が生成される。
【００２５】
ポリゴン演算部１６は、背景画像の水面領域と陸上領域のそれぞれを構成する各ポリゴンの頂点座標を計算する。テクスチャ処理部１８は、計算されたポリゴンの頂点座標に基づいて、各ポリゴンにテクスチャ画像を貼り付けるテクスチャマッピング処理を行う。例えば、背景画像の一部に海を表す水面領域が含まれる場合には、テクスチャ処理部１８は、この水面領域を構成するポリゴンに対して、海をイメージする色彩のテクスチャ画像（青色の画像）を貼り付ける処理を行って、背景画像に対応する地図画像描画データを生成する。この地図画像描画データは、フレームメモリ２０に格納される。フレームメモリ２０は、現在の表示縮尺に対応する複数の図葉について地図画像描画データを格納する。例えば、自車位置周辺の地図画像表示を行う際には、自車位置が含まれる図葉と、その周囲に配置される８枚の図葉の合計９枚分の図葉について生成された地図画像描画データが格納される。
【００２６】
津波情報抽出部２２は、気象情報配信サーバ２００から配信されて通信処理部２８で受信した気象情報の中から津波情報を抽出する。この津波情報の中には、津波情報であることを示す識別情報Ａと、この津波情報に対応する地図上の領域（警報対象領域）を示す領域特定情報Ｂと、津波の大きさを示す発生レベル情報Ｃとが含まれている。津波情報抽出部２２は、通信処理部２８によって受信した気象情報の中から識別情報Ａに対応する津波情報を抽出し、領域特定情報Ｂを津波領域判定部２４に、発生レベル情報Ｃをテクスチャ処理部１８にそれぞれ送る。
【００２７】
津波領域判定部２４は、津波情報抽出部２２から送られてくる領域特定情報Ｂに基づいて、地図画像の現在の描画範囲内に津波情報に対応する津波の発生対象となる水面領域が存在するか否かを判定する。この判定結果はテクスチャ処理部１８に送られる。このような水面領域が存在する場合には、テクスチャ処理部１８は、津波が発生していない海をイメージする通常のテクスチャ画像に代えて、津波の発生を視覚的に認識可能な津波画像としてのテクスチャ画像を用いてテクスチャマッピング処理を行う。この津波画像としてのテクスチャ画像としては津波の大きさを示す発生レベル情報Ｃに対した複数種類のテクスチャ画像があらかじめ用意されており、テクスチャ処理部１８は、津波情報抽出部２２から送られる発生レベル情報Ｃに基づいてこれら複数種類のテクスチャ画像の中から一つを選択してテクスチャマッピング処理に用いている。
【００２８】
文字情報描画部２６は、描画範囲の地図画像上に重ねて表示される地名や建物名称等の各種の文字情報画像を描画する。アイコン描画部２７は、表示が指示された特定施設のアイコン画像（例えば、コンビニエンスストアのアイコン表示が指示されている場合にはコンビニエンスストアの種類に応じた各種形状を有するアイコン画像）を描画する。これらの文字情報画像やアイコン画像は、フレームメモリ２０に格納された背景画像に対応する地図画像描画データに重ねられる。
【００２９】
上述した通信処理部２８、津波情報抽出部２２が津波情報受信手段に、津波領域判定部２４が津波領域判定手段に、ポリゴン演算部１６、テクスチャ処理部１８、フレームメモリ２０が地図描画手段に、表示処理部５０が表示手段にそれぞれ対応する。
【００３０】
本実施形態のナビゲーション装置１００はこのような構成を有しており、次にその動作を説明する。
【００３１】
図３は、本実施形態のナビゲーション装置１００に含まれる主に地図描画部１４の動作手順を示す流れ図である。例えば、自車位置を中心とした複数の図葉に対応する地図画像の描画対象となる地図データがＤＶＤ２から読み出されて地図バッファ１０に格納されると、地図描画部１４内のポリゴン演算部１６は、この描画範囲の地図データに含まれるポリゴンデータを読み出し（ステップ１００）、各ポリゴンの頂点座標を計算する（ステップ１０１）。これらの処理と並行して、津波領域判定部２４は、描画範囲に水面領域が含まれているか否かを判定し（ステップ１０２）、含まれている場合には肯定判断を行った後に、描画範囲に対応する津波情報を受信したか否かを判定する（ステップ１０３）。この判定は、津波情報抽出部２２から送られてくる領域特定情報Ｂで指定される警報対象領域が、描画範囲の少なくとも一部に対応しているか否か（重複しているか否か）を調べることにより行われる。
【００３２】
図４〜図６は、津波領域判定部２４によって水面領域の少なくとも一部に警報対象領域が対応していると判定される具体例を示す図である。図４には、描画範囲に警報対象領域Ｍの全体が含まれる場合であって、ハッチングで示された水面領域の一部と警報対象領域Ｍの一部が重複している場合が示されている。図５には、描画範囲の一部と警報対象領域Ｍの一部とが重複している場合であって、この重複領域に水面領域が含まれている場合が示されている。図６には、描画範囲の全体が警報対象領域Ｍに含まれている場合であって、描画範囲の一部（あるいは全部）に水面領域が含まれている場合が示されている。例えば、警報対象領域Ｍは、経度および緯度のそれぞれを５ｋｍ毎に区切った矩形形状を有しており、一定の大きさを有しているものとする。これに対し、描画範囲は固定枚数（例えば９枚）の図葉に対応しているが、そのときの表示縮尺に応じて図葉の大きさが異なるため、描画範囲の大きさも表示縮尺に応じて変化する。したがって、図４あるいは図５に示すように描画範囲よりも警報対象領域Ｍの方が小さくなる場合や、図６に示すように描画範囲よりも警報対象領域Ｍの方が大きくなる場合がある。本実施形態では、いずれの場合であっても描画範囲と警報対象領域Ｍとが一部でも重複していれば、水面領域の少なくとも一部に警報対象領域が対応していると判定される。
【００３３】
描画範囲に対応する津波情報が存在する場合にはステップ１０３の判定において肯定判断が行われ、次に、津波情報抽出部２２は、津波情報に含まれる発生レベル情報Ｃを抽出する（ステップ１０４）。抽出された発生レベル情報Ｃはテクスチャ処理部１８に送られる。テクスチャ処理部１８は、津波情報抽出部２２から送られてきた発生レベル情報Ｃに対応した津波表示用のテクスチャ画像を決定する（ステップ１０５）。
【００３４】
図７は、テクスチャ画像の具体例を示す図である。例えば、発生レベル情報Ｃは、津波の高さが高くなるにしたがって順番に津波注意報、津波警報、大津波警報の３段階の警報レベルのいずれかを指定するものとする。図７（Ａ）は、比較的小さい津波が発生した場合の津波注意報に対応するテクスチャ画像を示している。図７（Ｂ）は、中程度の津波が発生した場合の津波警報に対応するテクスチャ画像を示している。図７（Ｃ）は、大きな津波が発生した場合の大津波警報に対応するテクスチャ画像を示している。このように、発生レベル情報Ｃに基づいて、使用するテクスチャ画像が決定される。
【００３５】
次に、テクスチャ処理部１８は、決定したテクスチャ画像を用いてテクスチャマッピング処理を行って、津波発生を示すテクスチャ画像が水面領域に貼り付けられた地図画像描画データを生成する（ステップ１０６）。なお、水面領域以外の陸上領域を構成する各ポリゴン毎に、対応するテクスチャ画像が貼り付けられる。また、描画範囲に含まれる水面領域の少なくとも一部に津波発生を示す警報対象領域が対応しているときに、描画範囲に含まれる水面領域の全体に対して津波発生を示すテクスチャ画像を用いたテクスチャマッピング処理が行われる。
【００３６】
また、描画範囲内に水面領域がない場合（ステップ１０２の判定において否定判断）や描画範囲内に対応する津波情報がない場合（ステップ１０３の判定において否定判断）には、水面領域と陸上領域のそれぞれを構成する各ポリゴン毎に、津波発生を示すテクスチャ画像を用いない従来通りのテクスチャ画像が貼り付けられて地図画像描画データが生成される（ステップ１０６）。このようにして生成された地図画像描画データはフレームメモリ２０に格納される。
【００３７】
次に、フレームメモリ２０に格納された背景画像に対応する地図画像描画データ上に、文字情報描画部２６によって描画された文字情報描画データやアイコン描画部２７によって描画されたアイコン描画データが上書きされて、背景画像と文字情報、アイコン画像との合成が行われる（ステップ１０７）。このようにして合成された地図画像描画データは、表示処理部５０によって読み出されて、ディスプレイ装置６に自車位置周辺の地図画像が表示される。
【００３８】
図８は、津波発生を示すテクスチャ画像を用いて表示された地図画像の表示例を示す図である。図８に示す地図画像には水面領域Ｓと陸上領域Ｇとが含まれている。水面領域Ｓは、複数のポリゴンによって構成されており、これらのポリゴンに津波発生を示すテクスチャ画像が貼り付けられて、図８に示すような高波の発生が視覚的に認識容易な地図画像になっている。
【００３９】
このように、本実施形態のナビゲーション装置１００では、津波情報によって津波の発生が通知された水面領域が描画範囲に含まれる場合に、この水面領域に対応させて津波の発生を視覚的に認識可能な津波画像が表示されるため、地図画像を見ている利用者に対して津波の発生を通知する際の視認性の向上が可能になる。また、描画範囲に含まれる水面領域の一部であっても津波情報がでているときにこの水面領域全体に津波画像を表示することにより、利用者に対して確実に注意を喚起することが可能になる。
【００４０】
また、津波の大きさを示す発生レベル情報に基づいて津波の大きさに応じて表示内容が異なる津波画像を用いて地図画像の描画が行われるため、津波による危険の程度を視覚的に表すことができ、利用者に対して津波の大きさに応じた注意を喚起することが可能になる。
【００４１】
また、本実施形態のナビゲーション装置１００では、水面領域およびそれ以外の領域のそれぞれに対応するポリゴンにテクスチャ画像を貼り付けることにより地図画像の描画を行っており、水面領域を構成するポリゴンに対応するテクスチャ画像を、津波の大きさに応じて切り替えている。これにより、津波発生の有無およびその程度に対応した複数種類のテクスチャ画像を用意しておいて、これらを適宜切り替えるだけで津波の発生の有無や程度を表示することが可能になり、比較的簡単な処理で津波発生時の通知の視認性向上を図ることができる。
【００４２】
また、津波の大きさに応じて切り替えられるテクスチャ画像として、水面の波の形状を視覚的に表すとともにこの波の高さを津波の大きさに応じて変化させた画像を用いているため、津波の大きさを地図画像を見ただけで知ることができ、文字情報を用いて津波に関する通知を行う場合に比べて、視認性を飛躍的に向上させることができる。
【００４３】
なお、本発明は上記実施形態に限定されるものではなく、本発明の要旨の範囲内において種々の変形実施が可能である。例えば、上述した実施形態では、気象情報配信サーバ２００からナビゲーション装置１００に向けてネットワーク３００を介して津波情報を含む気象情報を配信するようにしたが、津波情報等の気象情報を重畳した放送信号を放送局から配信し、車両に搭載された受信機（この受信機が津波情報受信手段として動作する）でこの放送信号を受信して津波情報を取得するようにしてもよい。
【００４４】
また、上述した実施形態では、津波情報に含まれる発生レベル情報に基づいて、津波発生を知らせる３種類のテクスチャ画像を使い分けるようにしたが、単純に津波発生を知らせる１種類のテクスチャ画像を用いるようにしてもよい。この場合には、津波発生の有無に対応した２種類のテクスチャ画像を用意しておいて、これらを適宜切り替えるだけで津波の発生の有無を表示することが可能になり、比較的簡単な処理で津波発生時の通知の視認性向上を図ることができる。
【００４５】
また、上述した実施形態では、海等の水面領域に津波発生を知らせるテクスチャ画像を対応させたが、この水面領域には海面以外に湖や池等の水面も含まれるため、海面に対応する水面領域についてのみ津波発生を知らせるテクスチャ画像を対応させることが望ましい。なお、水面領域が海面とそれ以外の水面のいずれに対応しているかは、それぞれの水面領域を構成するポリゴンの属性情報を調べることにより容易に知ることができるため、このような場合分けを行うことは容易である。
【図面の簡単な説明】
【００４６】
【図１】一実施形態のナビゲーション装置を含む全体システムの構成を示す図である。
【図２】ナビゲーション装置の詳細構成を示す図である。
【図３】本実施形態のナビゲーション装置に含まれる主に地図描画部の動作手順を示す流れ図である。
【図４】津波領域判定部によって水面領域の少なくとも一部に警報対象領域が対応していると判定される具体例を示す図である。
【図５】津波領域判定部によって水面領域の少なくとも一部に警報対象領域が対応していると判定される具体例を示す図である。
【図６】津波領域判定部によって水面領域の少なくとも一部に警報対象領域が対応していると判定される具体例を示す図である。
【図７】テクスチャ画像の具体例を示す図である。
【図８】津波発生を示すテクスチャ画像を用いて表示された地図画像の表示例を示す図である。
【符号の説明】
【００４７】
１  ナビゲーションコントローラ
３  ディスク読取装置
４  リモコンユニット
５  車両位置検出部
６  ディスプレイ装置
７  オーディオ部
１０  地図バッファ
１２  地図読出制御部
１４  地図描画部
１６  ポリゴン演算部
１８  テクスチャ処理部
２０  フレームメモリ
２２  津波情報抽出部
２４  津波領域判定部
２６  文字情報描画部
２７  アイコン描画部
２８  通信処理部
３０  車両位置計算部
４０  入力処理部
５０  表示処理部
１００  ナビゲーション装置
２００  気象情報配信サーバ
３００  ネットワーク
【図１】
2006058192.tif 000003
【図２】
2006058192.tif 000004
【図３】
2006058192.tif 000005
【図４】
2006058192.tif 000006
【図５】
2006058192.tif 000007
【図６】
2006058192.tif 000008
【図７】
2006058192.tif 000009
【図８】
2006058192.tif 000010